(57)【要約】【課題】Ｗ−ＣＤＭＡ信号の各スロットに含まれるＳＣＨのデータを解析する。【解決手段】Ｗ−ＣＤＭＡ信号としての被測定信号ａの１スロット分の測定信号２０から信号レベルとデータとを有したＳＣＨ信号を求める。このＳＣＨ信号からＰ−ＳＣＨ信号レベルＬPとＳ―ＳＣＨ信号レベルＬSを求める。さらに、理想Ｐ―ＳＣＨ信号及び理想Ｓ―ＳＣＨ信号を作成する。ＳＣＨ信号から理想Ｐ―ＳＣＨ信号及び理想Ｓ―ＳＣＨ信号を減算することにより、目的とする信号レベルとデータとを有したＳ―ＳＣＨ信号及びＰ―ＳＣＨ信号を独立して求める。  よって、各スロット９に含まれるＳ―ＳＣＨ信号のデータ（ビットデータ）、及びＰ―ＳＣＨ信号のデータ（ビットデータ）が求まり、表示器４５に表示出力される。【選択図】      図１
2006060478.tif 000002
【特許請求の範囲】
【請求項１】
入力された被測定信号であるＷ−ＣＤＭＡ信号の１フレームを構成する各スロットの先頭位置にチャネルデータに加算されたＰ−ＳＣＨとＳ―ＳＣＨとからなるＳＣＨを解析するＷ−ＣＤＭＡ信号のＳＣＨ解析装置において、
前記入力された被測定信号の１スロット分の測定信号を検出する信号検出手段（１９）と、
この信号検出手段で検出された１スロット分の測定信号から、前記ＳＣＨに相当する、信号レベルとデータとを有したＳＣＨ信号を抽出するＳＣＨ信号抽出手段（２５）と、
このＳＣＨ信号抽出手段で抽出されたＳＣＨ信号から前記Ｐ−ＳＣＨに対応するＰ−ＳＣＨ信号レベルと前記Ｓ−ＳＣＨに対応するＳ―ＳＣＨ信号レベルとを検出する信号レベル検出手段（３１，３４）と、
Ｓ−ＳＣＨ理想データと前記Ｓ―ＳＣＨ信号レベルとから理想Ｓ―ＳＣＨ信号を作成する理想Ｓ―ＳＣＨ信号作成手段（３５）と、
Ｐ−ＳＣＨ理想データと前記Ｐ―ＳＣＨ信号レベルとから理想Ｐ―ＳＣＨ信号を作成する理想Ｐ―ＳＣＨ信号作成手段（３６）と、
前記ＳＣＨ信号から前記理想Ｓ―ＳＣＨ信号を減算することにより被測定信号のＰ―ＳＣＨ信号を作成するＰ―ＳＣＨ信号作成手段（３８）と、
前記ＳＣＨ信号から前記理想Ｐ―ＳＣＨ信号を減算することにより被測定信号のＳ―ＳＣＨ信号を作成するＳ―ＳＣＨ信号作成手段（４２）と、
前記Ｐ―ＳＣＨ信号と前記Ｓ―ＳＣＨ信号の各データ及び各信号レベルを解析結果として表示器に表示出力する解析結果出力手段（４０）と
を備えたことを特徴とするＷ−ＣＤＭＡ信号のＳＣＨ解析装置。
【請求項２】
前記Ｐ―ＳＣＨ信号のデータ及びＳ―ＳＣＨ信号のデータと、前記Ｐ−ＳＣＨ理想データ及び前記Ｓ−ＳＣＨ理想データとそれぞれ比較して、前記Ｐ―ＳＣＨ信号及びＳ―ＳＣＨ信号の各データに含まれる誤り検出する誤り検出手段（３９，４３）を有し、
前記解析結果出力手段は、前記検出された各データに含まれる誤りを、前記解析結果の一つとして表示器に表示出力する
ことを特徴とする請求項１記載のＷ−ＣＤＭＡ信号のＳＣＨ解析装置。
【請求項３】
前記解析結果出力手段は、前記Ｐ−ＳＣＨ信号の各ビットデータ及び前記Ｓ−ＳＣＨ信号の各ビットデータが、前記Ｐ−ＳＣＨ理想データの各ビットデータ及び前記Ｓ−ＳＣＨ理想データの各ビットデータと不一致の場合、この不一致のビットデータを一致のビットデータに対して異なる表示色で表示することを特徴とする請求項２記載のＷ−ＣＤＭＡ信号のＳＣＨ解析装置。
【請求項４】
前記ＳＣＨ信号抽出手段で抽出されたＳＣＨ信号の信号レベルが予め設定されたしきい値に達しなかった場合、当初から当該スロットにＳＣＨが設定されていないと判定する信号有無判定手段（４４）を備えたことを特徴とする請求項１から３のいずれか１項記載のＷ−ＣＤＭＡ信号のＳＣＨ解析装置。
【請求項５】
前記ＳＣＨ信号抽出手段（２５）は、
前記信号検出手段で検出された1スロット分の測定信号をスクランブル解除するデータ解析部（２６）と、
スクランブル解除された測定信号を逆拡散し各チャネルの送信データを復号する逆拡散部（２８）と、
復号した送信データを再び拡散する拡散部（１０３）と、
拡散された送信データを再スクランブルするスクランブル部（１０４）と、
前記測定信号から再スクランブルされた送信データを減算してＳＣＨ信号を検出するＳＣＨ信号検出部（１０５）と
を有することを特徴とする請求項１から４のいずれか１項記載のＷ−ＣＤＭＡ信号のＳＣＨ解析装置。
【請求項６】
前記理想Ｓ−ＳＣＨ信号と前記理想Ｐ−ＳＣＨ信号から理想ＳＣＨ信号を作成する理想ＳＣＨ信号作成部（１０６）と、
前記信号検出手段で検出された1スロット分の測定信号から前記理想ＳＣＨ信号を減算し前記ＳＣＨ信号抽出手段へ送出する減算部（１００）と
を備えたことを特徴とする請求項１から５のいずれか１項記載のＷ−ＣＤＭＡ信号のＳＣＨ解析装置。
【発明の詳細な説明】
【技術分野】
【０００１】
本発明は、入力された被測定信号であるＷ−ＣＤＭＡ信号の各スロットに含まれるＳＣＨを解析するＷ−ＣＤＭＡ信号のＳＣＨ解析装置に関する。
【背景技術】
【０００２】
第３世代の移動通信システムにおける無線通信方式の一つとして、Ｗ―ＣＤＭＡ（Wideband Code Division Multiple Access  広帯域符号分割多元接続）が提唱されている。この通信方式を用いる場合、基地局と移動局（携帯端末）との間で送受される信号内には、Ｗ―ＣＤＭＡの通信規格（３ＧＰＰ）に従って送受信される多数のデータが多重化されて組込まれている。
【０００３】
図９に、Ｗ―ＣＤＭＡにおける送信側の各チャネルの送信データＤ０〜Ｄｎの多重化手法を示す。例えばＱＰＳＫ（Quadrature phase shift keying ４位相偏移変調）又は１６ＱＡＭ（Quadrature amplitude modulation）で位相変調された各チャネルの送信データＤ０〜Ｄｎは、コード拡散部１においてそれぞれ異なる拡散コード（直交可変拡散符号）ｗ０〜ｗｎでコード拡散されたのち、加算器２で加算された後、乗算器３にてスクランブルコードが乗算さる。さらに、ＳＣＨ付加部４内の加算器５でＰ−ＳＣＨが加算され、加算器６でＳ−ＳＣＨが加算される。なお、Ｓ−ＳＣＨはＳ−ＳＣＨ更新部７でそのデータがスロット毎に毎回更新される。Ｐ−ＳＣＨ及びＳ−ＳＣＨが加算された各送信データは、高周波回路８で高周波信号のＷ―ＣＤＭＡ信号に変換されて電波出力される。
【０００４】
基地局から各携帯端末に送信される下りのＷ―ＣＤＭＡ信号（被測定信号ａ）は、図１０に示す伝送フォーマットを有する。例えば１０ｍｓの時間幅を有する１フレームは１５個のスロット９で構成されている。各スロット９内には、このスロット９の長さ一杯に、コード拡散化されかつスクランブル化された送信（チャネル）データ１３と、スロット９の先頭位置に送信（チャネル）データ１３に加算されたＰ−ＳＣＨ１１とＳ―ＳＣＨ１０とからなるＳＣＨ１２とが設けられている。
【０００５】
ここで、ＳＣＨ（Synchronization Channel）１２はセルサーチ（時間検索）に利用される物理下りチャネルであり、このＳＣＨ１２は、Ｐ−ＳＣＨ（Primary SCH）１１と、Ｓ−ＳＣＨ（Secondary SCH）１０との二つのサブチャネルから構成されている。
【０００６】
Ｐ−ＳＣＨ１１は、全部のスロット９に対して同一値（ビットデータ）に設定されており、スロット９の同期に用いられる。一方、Ｓ−ＳＣＨ１０は、全部のスロット９に対してそれぞれ異なる値（ビットデータ）に設定されており、各スロット９の特定に用いられる。さらに、このＳ−ＳＣＨ１０はスクランブルコード（Scrambling Code）の同定にも使用される。
【０００７】
したがって、基地局から携帯端末へ送信される下りのＷ―ＣＤＭＡ信号に含まれるＰ−ＳＣＨ１１、Ｓ−ＳＣＨ１０は、このＷ―ＣＤＭＡ信号を受信した各携帯端末にとって、スロット９の同期やスロット９の特定を実施する上で非常に重要な要素である。
【発明の開示】
【発明が解決しようとする課題】
【０００８】
したがって、Ｗ―ＣＤＭＡの規格を採用した第３世代の移動通信システムやＨＳＤＰＡ（High Speed Downlink Packet Access）の規格を採用した第３．５世代の移動通信システムにおける基地局から各移動局（携帯端末）へ送信される電波の信号が上述したＰ−ＳＣＨ１１、Ｓ−ＳＣＨ１０、ＳＣＨ１２の規格（３ＧＰＰ  ＴＳ  ２５．２１３）に定められたデータ（ビットデータ）値を有していることを簡単に検証できるＷ−ＣＤＭＡ信号のＳＣＨ解析装置の開発が望まれている。
【０００９】
本発明は、このような事情に鑑みてなされたものであり、入力された被測定信号であるＷ−ＣＤＭＡ信号における１スロット分の測定信号からＰ―ＳＣＨとＳ−ＳＣＨとからなるＳＣＨのＳＣＨ信号を抽出することにより、このＳＣＨ信号から正確なＰ―ＳＣＨ信号とＳ−ＳＣＨ信号とを独立して求めることができ、スロット毎のＰ―ＳＣＨ信号のデータ（ビットデータ）とＳ−ＳＣＨ信号のデータ（ビットデータ）を求めて表示でき、Ｗ−ＣＤＭＡ信号の信号品質をより精度よく検証できるＷ−ＣＤＭＡ信号のＳＣＨ解析装置を提供することを目的とする。
【課題を解決するための手段】
【００１０】
本発明は、入力された被測定信号であるＷ−ＣＤＭＡ信号の１フレームを構成する各スロットの先頭位置にチャネルデータに加算されたＰ−ＳＣＨとＳ―ＳＣＨとからなるＳＣＨを解析するＷ−ＣＤＭＡ信号のＳＣＨ解析装置である。
【００１１】
そして、上記課題を解消するために、本発明のＷ−ＣＤＭＡ信号のＳＣＨ解析装置においては、入力された被測定信号の１スロット分の測定信号を検出する信号検出手段と、この信号検出手段で検出された１スロット分の測定信号から、ＳＣＨに相当する、信号レベルとデータとを有したＳＣＨ信号を抽出するＳＣＨ信号抽出手段と、このＳＣＨ信号抽出手段で抽出されたＳＣＨ信号からＰ−ＳＣＨに対応するＰ−ＳＣＨ信号レベルとＳ−ＳＣＨに対応するＳ―ＳＣＨ信号レベルとを検出する信号レベル検出手段と、Ｓ−ＳＣＨ理想データとＳ―ＳＣＨ信号レベルとから理想Ｓ―ＳＣＨ信号を作成する理想Ｓ―ＳＣＨ信号作成手段と、Ｐ−ＳＣＨ理想データとＰ―ＳＣＨ信号レベルとから理想Ｐ―ＳＣＨ信号を作成する理想Ｐ―ＳＣＨ信号作成手段と、ＳＣＨ信号から理想Ｓ―ＳＣＨ信号を減算することにより被測定信号のＰ―ＳＣＨ信号を作成するＰ―ＳＣＨ信号作成手段と、ＳＣＨ信号から理想Ｐ―ＳＣＨ信号を減算することにより被測定信号のＳ―ＳＣＨ信号を作成するＳ―ＳＣＨ信号作成手段と、Ｐ―ＳＣＨ信号とＳ―ＳＣＨ信号の各データ及び各信号レベルを解析結果として表示器に表示出力する解析結果出力手段とを備えている。
【００１２】
このように構成されたＷ−ＣＤＭＡ信号のＳＣＨ解析装置においては、被測定信号における１スロット分の測定信号から信号レベルとデータとを有したＳＣＨ信号が求まる。さらに、このＳＣＨ信号からＰ−ＳＣＨ信号レベルとＳ―ＳＣＨ信号レベルが求まる。
【００１３】
さらに、理想Ｐ―ＳＣＨ信号及び理想Ｓ―ＳＣＨ信号が作成され、ＳＣＨ信号から理想Ｐ―ＳＣＨ信号及び理想Ｓ―ＳＣＨ信号を減算することにより、目的とする信号レベルとデータとを有したＳ―ＳＣＨ信号及びＰ―ＳＣＨ信号が独立して求まるので、各スロットに含まれるＳ―ＳＣＨ信号のデータ（ビットデータ）、及びＰ―ＳＣＨ信号のデータ（ビットデータ）が求まり解析結果として表示出力される。
【００１４】
また、別の発明は、上述した発明におけるＷ−ＣＤＭＡ信号のＳＣＨ解析装置において、Ｐ―ＳＣＨ信号のデータ及びＳ―ＳＣＨ信号のデータと、Ｐ−ＳＣＨ理想データ及びＳ−ＳＣＨ理想データとそれぞれ比較して、Ｐ―ＳＣＨ信号及びＳ―ＳＣＨ信号の各データに含まれる誤り検出する誤り検出手段を有している。さらに、解析結果出力手段は、検出された各データに含まれる誤りを、解析結果の一つとして表示器に表示出力する。
【００１５】
このように構成されたＷ−ＣＤＭＡ信号のＳＣＨ解析装置においては、各スロットに含まれるＳ―ＳＣＨ信号のデータ（ビットデータ）の誤り、及びＰ―ＳＣＨ信号のデータ（ビットデータ）の誤りが求まり表示出力される。したがって、このＳＣＨ解析装置の操作者（試験実施者）は、Ｓ―ＳＣＨ信号、Ｐ―ＳＣＨ信号のデータ（ビットデータ）のみならず、データ（ビットデータ）の誤りの有無を表示器の表示画面上で簡単に確認できる。
【００１６】
また、別の発明は、上述した発明におけるＷ−ＣＤＭＡ信号のＳＣＨ解析装置における解析結果出力手段は、Ｐ−ＳＣＨ信号の各ビットデータ及びＳ−ＳＣＨ信号の各ビットデータが、Ｐ−ＳＣＨ理想データの各ビットデータ及びＳ−ＳＣＨ理想データの各ビットデータと不一致の場合、この不一致のビットデータを一致のビットデータに対して異なる表示色で表示する。
【００１７】
このように構成されたＷ−ＣＤＭＡ信号のＳＣＨ解析装置においては、不一致のビットデータが一致のビットデータに対して異なる表示色で表示されるので、ＳＣＨ解析装置の操作者（試験実施者）は、Ｐ−ＳＣＨ信号及びＳ−ＳＣＨ信号における各ビットデータのうち、どのビットデータが誤ったのかを一瞥して把握できる。
【００１８】
また、別の発明は、上述した発明におけるＷ−ＣＤＭＡ信号のＳＣＨ解析装置において、ＳＣＨ信号抽出手段で抽出されたＳＣＨ信号の信号レベルが予め設定されたしきい値に達しなかった場合、当初から当該スロットにＳＣＨが設定されていないと判定する信号有無判定手段を設けている。
【００１９】
このように構成されたＷ−ＣＤＭＡ信号のＳＣＨ解析装置においては、当初からＳＣＨが設定されていないスロットも簡単に把握できる。
【００２０】
また、別の発明は、上述した発明におけるＷ−ＣＤＭＡ信号のＳＣＨ解析装置におけるＳＣＨ信号抽出手段は、信号検出手段で検出された1スロット分の測定信号をスクランブル解除するデータ解析部と、スクランブル解除された測定信号を逆拡散し各チャネルの送信データを復号する逆拡散部と、復号した送信データを再び拡散する拡散部と、拡散された送信データを再スクランブルするスクランブル部と、測定信号から再スクランブルされた送信データを減算してＳＣＨ信号を検出するＳＣＨ信号検出部とで構成している。
【００２１】
また、別の発明は、上述した発明におけるＷ−ＣＤＭＡ信号のＳＣＨ解析装置において、理想Ｓ−ＳＣＨ信号と理想Ｐ−ＳＣＨ信号から理想ＳＣＨ信号を作成する理想ＳＣＨ信号作成部と、記信号検出手段で検出された1スロット分の測定信号から理想ＳＣＨ信号を減算しＳＣＨ信号抽出手段へ送出する減算部とを備えている。
【００２２】
このように、一旦、作成された理想Ｐ―ＳＣＨ信号と理想Ｓ―ＳＣＨ信号とを加算して理想ＳＣＨ信号を作成して、この理想ＳＣＨ信号を用いて、Ｐ−ＳＣＨ信号レベルとＳ―ＳＣＨ信号レベルとを求めているので、最終的なＰ―ＳＣＨ信号とＳ―ＳＣＨ信号の解析精度が向上する。
【発明の効果】
【００２３】
本発明においては、被測定信号における１スロット分の測定信号からＰ―ＳＣＨとＳ−ＳＣＨとからなるＳＣＨのＳＣＨ信号を抽出し、このＳＣＨ信号から理想Ｓ―ＳＣＨ信号及び理想Ｐ−ＳＣＨ信号を減算することにより、正確なＰ―ＳＣＨ信号とＳ−ＳＣＨ信号とを独立して求めている。
【００２４】
したがって、スロット毎のＰ―ＳＣＨ信号のデータ（ビットデータ）とＳ−ＳＣＨ信号のデータ（ビットデータ）を区別して求めて表示でき、Ｗ−ＣＤＭＡ信号の信号品質をより精度よく検証できる。
【発明を実施するための最良の形態】
【００２５】
以下、本発明の一実施形態を図面を用いて説明する。
【００２６】
図１、図２は本発明の一実施形態に係るＷ−ＣＤＭＡ信号のＳＣＨ解析装置の概略構成を示すブロック図である。
【００２７】
この実施形態のＷ−ＣＤＭＡ信号のＳＣＨ解析装置には、基地局から出力されたＷ−ＣＤＭＡ信号からなる被測定信号ａが入力される。この被測定信号ａは、図９、図１０で説明したように、ＱＰＳＫ又は１６ＱＡＭの変調方式で変調された各チャネルの送信データＤ０〜Ｄｎがコード拡散部１においてコード拡散されて、加算器２で加算され、スクランブルコードで再度拡散され、さらにＳＣＨ付加部４で、Ｐ−ＳＣＨ１１とＳ−ＳＣＨ１０とからなるＳＣＨ１２が加算され、最後に高周波回路８で、高周波周波数に周波数変換されて、基地局から出力された図１０に示す伝送フォーマットを有する一つの信号である。
【００２８】
なお、基地局から出力されたＷ−ＣＤＭＡ信号からなる被測定信号ａのなかには、図４（ａ）（ｂ）に示すように、ＳＣＨ１２が当初から設定されていないスロット９も存在する。
【００２９】
このＳＣＨ解析装置に入力されたＷ−ＣＤＭＡ信号からなる被測定信号ａは、周波数変換部１４で中間周波数に周波数変換された後、Ａ／Ｄ変換部１５でＡ／Ｄ変換される。Ａ／Ｄ変換されたデジタルの被測定信号ａはデータメモリ１６へ書込まれる。
【００３０】
このデータメモリ１６は、図４（ａ）（ｂ）に示す伝送フォーマットを有する被測定信号ａの数フレーム分のデータを記憶することが可能である。このデータメモリ１６に記憶された被測定信号ａは相関部１７へ入力される。この相関部１７には、スロット９の先頭に設定されているＰ−ＳＣＨ１１及びＳ−ＳＣＨ１０の理想データ１８（設定されている正しいデータ）が入力される。
【００３１】
相関部１７は、被測定信号ａのデータとＰ−ＳＣＨ１１及びＳ−ＳＣＨ１０の理想データ１８との相関を算出する。スロット位置検出部１９は、相関結果を用いて、被測定信号ａにおける各スロット９の先頭位置を求めて、被測定信号ａにおける１スロット分の図３に示す測定信号２０をデータメモリ１６から読出して、１スロットメモリ２１に書込む。より具体的には、被測定信号ａの１フレームを構成する０番のスロット９から１４番のスロット９を順番に読出して１スロットメモリ２１に順番に書込む。
【００３２】
図３に示す１スロット分の測定信号２０において、ＳＣＨ１２の存在時間（区間）をＴAとし、ＳＣＨ（ＳＣＨ信号）１２の存在しない通信データ（チャネルデータ）１３のみの時間（区間）をＴBとし、ＳＣＨ１２の存在時間（区間）ＴAにおける通信データ（チャネルデータ）１３の信号レベルをＬDとし、ＳＣＨ１２の存在しない時間（区間）ＴBの信号レベルをＬBとし、ＳＣＨ（ＳＣＨ信号）１２のみの信号レベルをＬCとする。さらに、Ｐ−ＳＣＨ（Ｐ−ＳＣＨ信号）１１の信号レベルをＬPとし、Ｓ−ＳＣＨ（Ｐ−ＳＣＨ信号）１０の信号レベルをＬSとする。
【００３３】
１スロットメモリ２１に書込まれた測定信号２０は、減算部１００において、理想ＳＣＨ信号が減算されたのち、ＳＣＨ信号抽出部２５へ入力される。なお、最初は、理想ＳＣＨ信号が減算部１００に入力されないので、測定信号２０は減算されずにそのままＳＣＨ信号抽出部２５へ入力される。
【００３４】
ＳＣＨ信号抽出部２５は、１スロット分の測定信号２０から、ＳＣＨ（ＳＣＨ信号）１２に相当する信号レベルＬCとデータとを有したＳＣＨ信号を抽出する。次に、このＳＨＣ信号抽出部２５の具体的動作を順番に説明していく。
【００３５】
データ解除部としての逆スクランブル部２６は、１スロットメモリ２１に記憶された１スロット分の測定信号２０におけるＳＣＨ１２の存在時間（区間）ＴAをスクランブルコード１０１でスクランブル解除する。逆拡散部２８は、スクランブル解除された測定信号２０を拡散コード２７を用いて逆拡散し元の各チャネルの送信データＤ0、…、Ｄnを復号する。チャネル判定部１０２は、復号された各チャネルの送信データＤ0、…、Ｄnのレベルがしきい値に達しているか判断する。
【００３６】
拡散部１０３は、しきい値以上の各チャネルの送信データＤ0、…、Ｄnを拡散コード２７を用いて再び拡散する。さらに、スクランブル部１０４は、この再拡散された送信データをスクランブルコード１０１を用いて再スクランブルし、ＳＣＨ１２の存在期間ＴAにおける信号レベルＬDとデータの両方を有した通信データ（チャネルデータ）１３を得て、ＳＣＨ信号検出部１０５へ送出する。
【００３７】
ＳＣＨ信号検出部１０５は、１スロット分の測定信号２０におけるＳＣＨ１２の存在時間（区間）ＴAの測定信号２０から、スクランブル部１０４から得た送信データ１３を減算して、ＳＣＨ信号を得る。その結果、ＳＣＨ信号抽出部２５は、信号レベルＬCとデータ（ビットデータ）を有したＳＣＨ信号を得て出力する。
【００３８】
相関部２９は、ＳＣＨ信号抽出部２５から出力されたＳＣＨ信号とＳ−ＳＣＨ理想データ３０との相関値を算出して、Ｓ−ＳＣＨ信号レベル検出部３１へ送出する。Ｓ−ＳＣＨ信号レベル検出部３１は、相関値から信号レベルＬCを有するＳＣＨ信号に含まれるＳ−ＳＣＨ信号の割合を求め、この割合からＳ−ＳＣＨ信号の信号レベル（Ｓ−ＳＣＨ信号レベル）ＬSを算出する。Ｓ−ＳＣＨ信号レベル検出部３１は算出したＳ−ＳＣＨ信号レベルＬSを図２の理想Ｓ−ＳＣＨ信号作成部３５へ送出する。
【００３９】
同様に、相関部３２は、ＳＣＨ信号抽出部２５から出力されたＳＣＨ信号とＰ−ＳＣＨ理想データ３３との相関値を算出して、Ｐ−ＳＣＨ信号レベル検出部３４へ送出する。Ｐ−ＳＣＨ信号レベル検出部３４は、相関値から信号レベルＬCを有するＳＣＨ信号に含まれるＰ−ＳＣＨ信号の割合を求め、この割合からＰ−ＳＣＨ信号の信号レベル（Ｐ−ＳＣＨ信号レベル）ＬPを算出する。Ｐ−ＳＣＨ信号レベル検出部３４は算出したＰ−ＳＣＨ信号レベルＬPを図２の理想Ｐ−ＳＣＨ信号作成部３６へ送出する。
【００４０】
図２において、Ｓ−ＳＣＨ理想ビットデータ３７は、前述したＨＳＤＰＡの規格（３ＧＰＰ  ＴＳ  ２５．２１３）に定められたスクランブルコードに基づいて作成され、図１０のＳＣＨ付加部４にて被測定信号ａのＳ−ＳＣＨ１０に組込まれている理想のビットデータである。理想Ｓ−ＳＣＨ信号作成部３５は、入力されたＳ−ＳＣＨ信号レベルの信号レベルＬSと、入力されたＳ−ＳＣＨ理想ビットデータ３７のビットデータを有した理想Ｓ−ＳＣＨ信号とを作成して、減算部３８へ送出する。
【００４１】
Ｐ―ＳＣＨ信号作成手段としての減算部３８は、ＳＣＨ信号抽出部２５から出力されたＳＣＨ信号から理想Ｓ−ＳＣＨ信号を減算することによって、目的とする被測定信号ａにおける１スロット分の測定信号２０に含まれるＰ―ＳＣＨ１１に対応するＰ―ＳＣＨ信号を得て、比較部３９及び解析結果出力手段としての表示制御部４０へ送出する。
【００４２】
一方、Ｐ−ＳＣＨ理想ビットデータ４１は、図１０のＳＣＨ付加部４にて被測定信号ａのＰ−ＳＣＨ１１に組込まれている理想のビットデータである。理想Ｐ−ＳＣＨ信号作成部３６は、入力されたＰ−ＳＣＨ信号レベルの信号レベルＬPと、入力されたＰ−ＳＣＨ理想ビットデータ４１のビットデータを有した理想Ｐ−ＳＣＨ信号を作成して、減算部４２へ送出する。
【００４３】
Ｓ―ＳＣＨ信号作成手段としての減算部４２は、ＳＣＨ信号抽出部２５から出力されたＳＣＨ信号から理想Ｐ−ＳＣＨ信号を減算することによって、目的とする被測定信号ａにおける１スロット分の測定信号２０に含まれるＳ―ＳＣＨ１０に対応するＳ―ＳＣＨ信号を得て、比較部３９及び表示制御部４０へ送出する。
【００４４】
誤り検出手段としての比較部３９は、Ｐ―ＳＣＨ信号の各ビットデータとＰ−ＳＣＨ理想ビットデータ４１の各ビットデータと比較して、Ｐ―ＳＣＨ信号の各ビットデータがＰ−ＳＣＨ理想ビットデータ４１の各ビットデータに一致している場合を該当ビットデータは正常と判定し、不一致のビットデータを異常と判定し、判定結果を表示制御部４０へ送出する。
【００４５】
同様に、誤り検出手段としての比較部４２は、Ｓ―ＳＣＨ信号の各ビットデータとＳ−ＳＣＨ理想ビットデータ３７の各ビットデータと比較して、Ｓ―ＳＣＨ信号の各ビットデータがＳ−ＳＣＨ理想ビットデータ３７の各ビットデータに一致している場合を該当ビットデータは正常と判定し、不一致のビットデータを異常と判定し、判定結果を表示制御部４０へ送出する。
【００４６】
信号有無判定部４４は、ＳＣＨ信号抽出部２５から出力されたＳＣＨ信号の信号レベルＬCが予め設定されたしきい値に達しているか否かを判定して、しきい値に達していいないと、当初から当該スロットにＳＣＨ１２が設定されていないと判定する。信号有無判定部４４は、この判定結果を表示制御部４０へ送出する。
【００４７】
表示制御部４０は、ＳＣＨ信号抽出部２５から出力されたＳＣＨ信号の信号レベルＬC、信号有無判定結果、Ｓ―ＳＣＨ信号及びＰ―ＳＣＨ信号の各ビットデータ、各ビットデータの一致、不一致の結果を、表示器４５に各スロット９単位で表示出力する。
【００４８】
なお、理想Ｓ−ＳＣＨ信号作成部３５から出力された理想Ｓ−ＳＣＨ信号、及び理想Ｐ−ＳＣＨ信号作成部３６から出力された理想Ｐ−ＳＣＨ信号は、理想ＳＣＨ信号作成部１０６へ入力される。理想ＳＣＨ信号作成部１０６は、理想Ｓ−ＳＣＨ信号と理想Ｐ−ＳＣＨ信号とを加算して、信号レベル（ＬS＋ＬP）と理想ビットデータを有した理想ＳＣＨ信号を作成して、減算部１００へ送出する。減算部１００は、１スロットメモリ２１に書込まれた測定信号２０から、理想ＳＣＨ信号を減算した後、ＳＣＨ信号抽出部２５へ送出する。
【００４９】
図５は、このＷ−ＣＤＭＡ信号のＳＣＨ解析装置の全体動作を示す流れ図である。  
最初に、スロット位置検出部１９にて、被測定信号ａのスロット９を検出して、１スロット分の測定信号２０を得る（ステップＳ１）。ＳＣＨ信号抽出部２５における逆スクランブル部２６、逆拡散部２８、チャネル判定部１０２、拡散部１０３、スクランブル部１０４で、被測定信号ａのＳＣＨ存在区間ＴAにおける信号レベルＬDとデータの両方を有した通信データ（チャネルデータ）１３を得る（Ｓ２）。次に、ＳＣＨ信号検出部１０５においてデータ及び信号レベルＬCを有したＳＣＨ信号を求める（Ｓ３）。
【００５０】
そして、Ｓ−ＳＣＨ信号レベル検出部３１及びＰ−ＳＣＨ信号レベル検出部３４は、このＳＣＨ信号からＳ−ＳＣＨ信号及びＰ−ＳＣＨ信号の各信号レベルＬS、ＬPを求め、理想Ｓ−ＳＣＨ信号作成部３５及び理想Ｐ−ＳＣＨ信号作成部３６は、この求めたＳ−ＳＣＨ信号及びＰ−ＳＣＨ信号の各信号レベルＬS、ＬPを有した理想Ｓ−ＳＣＨ信号及び理想Ｐ−ＳＣＨ信号を作成する（Ｓ４）。
【００５１】
そして、操作者の操作にて、理想Ｐ−ＳＣＨ信号及び理想Ｓ−ＳＣＨ信号の再計算の指示が入力されると（Ｓ５）、理想ＳＣＨ信号作成部１０６は、今回求めた理想Ｓ−ＳＣＨ信号と理想Ｐ−ＳＣＨ信号とを加算して、信号レベル（ＬS＋ＬP）と理想ビットデータを有した理想ＳＣＨ信号を作成する（Ｓ６）。
【００５２】
そして、減算部１００は、１スロットメモリ２１に書込まれた測定信号２０から、理想ＳＣＨ信号を減算した後（Ｓ７）、Ｓ２へ戻り、減算後の測定信号２０を用いて、通信データ（チャネルデータ）１３の算出を開始する。
【００５３】
そして、操作者が理想Ｐ−ＳＣＨ信号及び理想Ｓ−ＳＣＨ信号の再計算の指示を入力しないと（Ｓ５）、減算部３８、４２は、先のＳＣＨ信号から理想Ｓ−ＳＣＨ信号及び理想Ｐ−ＳＣＨ信号を減算することにより、データ及び信号レベルを有したＰ−ＳＣＨ信号及びＳ−ＳＣＨ信号を得る（Ｓ８）。
【００５４】
そして、比較部３９、４３にて、Ｐ−ＳＣＨ信号及びＳ−ＳＣＨ信号の各ビットデータと、Ｐ−ＳＣＨ理想ビットデータ３７及びＳ−ＳＣＨ理想ビットデータ４１の各ビットデータとを比較する（Ｓ９）。ＳＣＨ信号の信号レベル、Ｐ−ＳＣＨ信号及びＳ−ＳＣＨ信号の各ビットデータ、各ビットデータの比較結果を表示器４５に表示出力する（Ｓ１０）。
【００５５】
以上で、１つのスロット９に対する測定（解析）処理が終了したので、被測定信号ａに未測定（解析）のスロット９が存在すれば（Ｓ１１）、Ｓ１へ戻り、被測定信号ａの次のスロット９に対する測定（解析）を開始する。被測定信号ａに未測定（解析）のスロット９が存在しないと（Ｓ１１）、被測定信号ａの１フレームを構成する合計１５個のスロット９におけるＳＣＨ１２に対する測定（解析）処理を終了する。
【００５６】
図６、図７は、表示器４５における被測定信号ａの解析結果の表示内容を示す図である。図６において、表示器４５には、被測定信号ａの１フレームを構成する合計１５個のスロット９におけるＳＣＨ信号の信号レベルＬCが０番のスロット９から１４番のスロット９までグラフ４６で表示される。さらに、グラフ４６中においてマーカで指定されたスロット９番号におけるＳＣＨ１２（ＳＣＨ信号）のＳＣＨ詳細情報４７が表示される。
【００５７】
このＳＣＨ詳細情報４７内には、該当スロット９におけるＳＣＨ信号の有無（Active on off）、該当スロット９におけるＳ―ＳＣＨのコード（ＳＳＣ）番号、ＳＣＨ信号レベル（Total）ＬC、Ｐ―ＳＣＨ信号レベルＬP、Ｓ―ＳＣＨ信号レベルＬSが含まれる。
【００５８】
さらに、図６の表示器４５には、グラフ４６中においてマーカで指定されたスロット９番号のスロット９におけるＰ−ＳＣＨ１１のデータ一覧４８、Ｓ−ＳＣＨ１０のデータ一覧４９が表示される。各データ一覧４８、４９には、Ｐ−ＳＣＨ１１、Ｓ−ＳＣＨ１０を構成するビットデータ（列）が、１６進表示されている。さらに、任意の１６進表示を枠５０で指定することにより、該当１６進表示を２進表示データ５１で表示可能である。
【００５９】
さらに、図８に示すように、各データ一覧４８、４９の１６進表示又は２進表示のびデータに、Ｐ−ＳＣＨ理想ビットデータ４１のビットデータ及びＳ−ＳＣＨ理想ビットデータ３７のビットデータに対して不一致のビットデータ５２が存在すれば、該当ビットデータ５２を、一致のビットデータに対して異なる表示色で表示される。
【００６０】
図７において、表示器４５には、被測定信号ａの１フレームを構成する０番のスロット９から１４番のスロット９までの各スロット９におけるＳＣＨ信号の信号レベルＬC、各スロット９におけるＰ―ＳＣＨ信号の信号レベルＬP、各スロット９におけるＳ―ＳＣＨ信号の信号レベルＬS、各スロット９におけるＳＣＨ信号の信号有無のデータ一覧５３が表示される。
【００６１】
さらに、１５個のスロット９におけるＳＣＨ信号の信号レベルＬCの平均値、Ｐ―ＳＣＨ信号の信号レベルＬPの平均値、Ｓ―ＳＣＨ信号の信号レベルＬSの平均値のデータ一覧５４が表示される。
【００６２】
このように構成されたＷ−ＣＤＭＡ信号のＳＣＨ解析装置においては、このＷ−ＣＤＭＡ信号のＳＣＨ解析装置に入力されたＷ−ＣＤＭＡ信号からなる被測定信号ａにおける１スロット分の測定信号２０から信号レベルＬCとデータとを有したＳＣＨ信号が求まる。さらに、このＳＣＨ信号からＰ−ＳＣＨ信号レベルＬPとＳ―ＳＣＨ信号レベルＬSが求まる。
【００６３】
さらに、理想Ｐ―ＳＣＨ信号及び理想Ｓ―ＳＣＨ信号が作成され、ＳＣＨ信号から理想Ｐ―ＳＣＨ信号及び理想Ｓ―ＳＣＨ信号を減算することにより、目的とする信号レベルとデータとを有したＳ―ＳＣＨ信号及びＰ―ＳＣＨ信号が独立して求まる。その結果、図６に示すように、表示器４５に、Ｐ−ＳＣＨ１１のデータ一覧４８、Ｓ−ＳＣＨ１０のデータ一覧４９が表示される。
【００６４】
この場合、各スロット９に含まれる各スロットに含まれるＳ―ＳＣＨ信号のデータ（ビットデータ）の誤り、及びＰ―ＳＣＨ信号のデータ（ビットデータ）の誤りが求まり、図８に示すように、誤りビットデータ５２が、正しいビットデータに対して異なる表示色で表示される。
【００６５】
したがって、このＳＣＨ解析装置の操作者（試験実施者）は、Ｓ―ＳＣＨ信号、Ｐ―ＳＣＨ信号のデータ（ビットデータ）のみならず、データ（ビットデータ）の誤りの有無を表示器４４の表示画面上で簡単に確認できる。
【００６６】
さらに、このＷ−ＣＤＭＡ信号のＳＣＨ解析装置においては、図５の流れ図に示すように、理想Ｓ−ＳＣＨ信号作成部３５と理想Ｐ−ＳＣＨ信号作成部３６とで作成された理想Ｓ−ＳＣＨ信号及び理想Ｐ−ＳＣＨ信号を加算して、信号レベル（ＬS＋ＬP）と理想ビットデータを有した理想ＳＣＨ信号を作成して、１スロットメモリ２１に書込まれた測定信号２０から、理想ＳＣＨ信号を減算した後、ＳＣＨ信号抽出部２５へ送出している。
【００６７】
このように、一旦、作成された理想Ｐ―ＳＣＨ信号と理想Ｓ―ＳＣＨ信号とを加算して理想ＳＣＨ信号を作成して、この理想ＳＣＨ信号を用いて、Ｐ−ＳＣＨ信号レベルとＳ―ＳＣＨ信号レベルとを求めているので、最終的なＰ―ＳＣＨ信号とＳ―ＳＣＨ信号の解析精度が向上する。
【図面の簡単な説明】
【００６８】
【図１】本発明の一実施形態に係わるＷ−ＣＤＭＡ信号のＳＣＨ解析装置の概略構成を示すブロック図
【図２】同じく同実施形態に係わるＷ−ＣＤＭＡ信号のＳＣＨ解析装置の概略構成を示すブロック図
【図３】被測定信号における１スロット分の測定信号の構成図
【図４】被測定信号のフレーム構成図
【図５】同実施形態に係わるＷ−ＣＤＭＡ信号のＳＣＨ解析装置の全体動作を示す流れ図
【図６】同実施形態に係わるＷ−ＣＤＭＡ信号のＳＣＨ解析装置に組込まれた表示器の表示内容を示す図
【図７】同じく同実施形態に係わるＷ−ＣＤＭＡ信号のＳＣＨ解析装置に組込まれた表示器の表示内容を示す図
【図８】同じく同実施形態に係わるＷ−ＣＤＭＡ信号のＳＣＨ解析装置に組込まれた表示器の表示内容を示す図
【図９】一般的なＷ−ＣＤＭＡにおける送信側の各送信データの多重化手法を示す図
【図１０】一般的なＷ−ＣＤＭＡ信号のフレーム構成図
【符号の説明】
【００６９】
１…コード拡散部、３…乗算器、４…ＳＣＨ付加部、８…高周波回路、９…スロット、１０…Ｓ―ＳＣＨ、１１…Ｐ―ＳＣＨ、１２…ＳＣＨ、１４…周波数変換部、１６…データメモリ、１７，２９，３２…相関部、１９…スロット位置検出部、２０…測定信号、２１…１スロットメモリ、２５…ＳＣＨ信号抽出部、２６…逆スクランブル部、２７…拡散コード、２８…逆拡散部、３０…Ｓ−ＳＣＨ理想データ、３１…Ｓ−ＳＣＨ信号レベル検出部、３３…Ｐ−ＳＣＨ理想データ、３４…Ｐ−ＳＣＨ信号レベル検出部、３５…理想Ｓ−ＳＣＨ信号作成部、３６…理想Ｐ−ＳＣＨ信号作成部、３７…Ｓ−ＳＣＨ理想ビットデータ、３８，４２，１００…減算部、３９，４３…比較部、４０…表示制御部、４１…Ｐ−ＳＣＨ理想ビットデータ、４４…信号有無判定部、４５…表示器、４６…グラフ、４７…ＳＣＨ詳細情報、４８，４９，５３…データ一覧、１０１…スクランブルコード、１０２…チャネル判定部、１０３…拡散部、１０４…スクランブル部、１０５…ＳＣＨ信号抽出部、１０６…理想ＳＣＨ信号作成部
【図１】
2006060478.tif 000003
【図２】
2006060478.tif 000004
【図３】
2006060478.tif 000005
【図４】
2006060478.tif 000006
【図５】
2006060478.tif 000007
【図６】
2006060478.tif 000008
【図７】
2006060478.tif 000009
【図８】
2006060478.tif 000010
【図９】
2006060478.tif 000011
【図１０】
2006060478.tif 000012